(57)【要約】【課題】雌型コネクタにおいて雌型ハウジングを厚壁化することなく、雄型コネクタの上下方向のあおりに対する強度を発揮しうる電気コネクタ組立体を提供する。【解決手段】電気コネクタ組立体１において、雌型ハウジング２０の雄型コネクタ受容凹部２１の下壁２３内側に、コネクタ嵌合方向と直交する方向に突出する部分を有する雌側突起を設け、雄型コネクタ受容凹部２１の側壁２６ａ，２６ｂ内側に、コネクタ嵌合方向と直交する方向に凹んだ雌側凹部２７を設ける。雄型ハウジング５０の下面５１ｄには、雌側突起の断面形状と相補的な断面形状を有する溝を設け、雄型ハウジングの側面５１ｅ，５１ｆに、雌側凹部２７の断面形状と相補的な断面形状を有する雄側突起６２を設ける。雄型ハウジング５０の溝に雌側突起が嵌入し、雄型ハウジング５０の雄側突起６２が雌側凹部２７に受容されて雄型ハウジング５０の上下方向への変位を規制する。【選択図】      図１
2007324050.tif 000002
【特許請求の範囲】
【請求項１】
雌型コネクタと、該雌型コネクタと嵌合する雄型コネクタとからなり、前記雌型コネクタが、雄型コネクタ受容凹部を有する雌型ハウングと、該雌型ハウジングに取り付けられたコンタクトとを備え、前記雄型コネクタが、前記雌型ハウジングの前記雄型コネクタ受容凹部に受容される雄型ハウジングと、該雄型ハウジングに取り付けられたコンタクトとを備えた電気コネクタ組立体において、
前記雌型ハウジングの前記雄型コネクタ受容凹部の下壁内側に、コネクタ嵌合方向に延びると共に、前記コネクタ嵌合方向と直交する方向に突出する部分を有する雌側突起を設け、前記雌型ハウジングの前記雄型コネクタ受容凹部の側壁内側に、コネクタ嵌合方向に延びると共に、前記コネクタ嵌合方向と直交する方向に凹んだ雌側凹部を設け、
前記雄型ハウジングの下面に、コネクタ嵌合方向に延びると共に、前記雌側突起の断面形状と相補的な断面形状を有する溝を設け、前記雄型ハウジングの側面に、コネクタ嵌合方向に延びると共に、前記雌側凹部の断面形状と相補的な断面形状を有する雄側突起を設け、
前記雄型ハウジングの前記溝に前記雌型ハウジングの前記雌側突起が嵌入して前記雄型ハウジングの上下方向への変位を規制し、前記雄型ハウジングの前記雄側突起が前記雌型ハウジングの前記雌側凹部に受容されて前記雄型ハウジングの上下方向への変位を規制することを特徴とする電気コネクタ組立体。
【請求項２】
前記雌型ハウジングに取り付けられたコンタクトが雄型コンタクトであり、前記雄型ハウジングに取り付けられたコンタクトが雌型コンタクトであることを特徴とする請求項１記載の電気コネクタ組立体。
【発明の詳細な説明】
【技術分野】
【０００１】
本発明は、雌型ハウジングを有する雌型コネクタと、この雌型コネクタと嵌合すると共に、雌型ハウジングに受容される雄型ハウジングを有する雄型コネクタとからなる電気コネクタ組立体に関する。
【背景技術】
【０００２】
従来より、雌型コネクタと、この雌型コネクタと嵌合する雄型コネクタとからなる電気コネクタ組立体が、例えば、自動車用の回路基板と電線とを電気的に接続する目的で用いられている。ここで、雌型コネクタは、雌型ハウングと、この雌型ハウジングに取り付けられ、回路基板に接続される複数の雄型コンタクトとを備えているのが一般的である。その一方、雄型コネクタは、雌型ハウジングに受容される雄型ハウジングと、この雄型ハウジングに取り付けられ、電線に接続されると共に前記雄型コンタクトに接触する雌型コンタクトとを備えているのが一般的である。
【０００３】
そして、近年においては、かかる自動車用の回路基板と電線とを電気的に接続する目的で用いられる電気コネクタ組立体において、低背化及び狭幅化（狭ピッチ）の要請があり、雌型コネクタ及び雄型コネクタの低背化及び狭幅化が要求されている。
ここで、低背化を可能にした自動車用に好適な雌型コネクタとして、例えば、図１８及び図１９に示すものが知られている（特許文献１参照）。図１８は、従来の雌型コネクタの正面図である。図１９は、図１８における１９−１９線に沿う断面図である。
【０００４】
図１８及び図１９において、雌型コネクタ１０１は、雌型ハウジング１１０、雌型ハウジング１１０に取り付けられた複数の雄型コンタクト１２０、及びタインプレート１３０とを具備している。
ここで、雌型ハウジング１１０は、絶縁性の樹脂を成形することによって、長手方向（図１８において左右方向）に延びる直方体状に形成されている。雌型ハウジング１１０の下面には、複数のねじ取付部１１２と、複数のスタンドオフ１１９とが設けられ、雌型ハウジング１１０はこれらねじ取付部１１２及びスタンドオフ１１９を介して回路基板ＰＣＢ上に実装されるようになっている。各ねじ取付部１１２には、回路基板ＰＣＢ上に雌型ハウジング１１０を取り付けるための取付ねじ１４０が螺入されるねじ穴１１３が設けられている。そして、雌型ハウジング１１０の内部には、図１９における矢印Ａによって示される向きに挿入される雄型コネクタ１４０が受容される複数の雄型コネクタ受容凹部１１１ａ〜１１１ｅが設けられている。複数の雄型コネクタ受容凹部１１１ａ〜１１１ｅは、長手方向に沿って配列されている。各雄型コネクタ受容凹部１１１ａ〜１１１ｅの上壁１１４の下側には、雄型コネクタ１４０のロックアーム（図示せず）と係止して雄型コネクタ１４０との嵌合状態を維持するロック係止部１１６が設けられている。また、各雄型コネクタ受容凹部１１１ａ〜１１１ｅにおいては、上壁１１４から下壁１１５に向かって延びる突条１１７と、下壁１１５から上壁１１４に向かって延びる突条１１８とが設けられている。これら突条１１７，１１８は、雄型コネクタ１４０の角部等による雄型コンタクト１２０の変形防止（いわゆるこじり防止）、雄型コネクタ受容凹部１１１ａ〜１１１ｅごとに位置を変えることによる類似異種の雄型コネクタ１４０の挿入防止（キーイング）、及び雄型コネクタ１４０の上下逆さま挿入の防止の機能を有する。
【０００５】
また、各雄型コンタクト１２０は、雌型ハウジング１１０に圧入固定される固定部１２１と、固定部１２１から各雄型コネクタ受容凹部１１１ａ〜１１１ｅ内に延び、雄型コネクタ１４０に設けられた雌型コンタクト（図示せず）に接触するタブ状の接触部１２２と、固定部１２１から外方向（図１９における左方）に延出し且つ途中で屈曲して回路基板ＰＣＢに向かって延びる脚部１２３とを備えている。各脚部１２３は、回路基板ＰＣＢに電気的に接続されるようになっている。そして、各雄型コンタクト１２０は、金属板を打ち抜き及び曲げ加工することによって形成さている。
【０００６】
更に、タインプレート１３０は、平板状に形成され、各雄型コンタクト１２０の脚部１２３を回路基板ＰＣＢの貫通穴ＰＣＢ１に対して整列するように構成されている。
そして、相手の雄型コネクタ１４０は、雌型コネクタ１０１の各雄型コネクタ受容凹部１１１ａ〜１１１ｅ内に図１９に示す矢印Ａによって示される向きに挿入され、雄型コネクタ１４０に設けられた雌型コンタクトが雄型コンタクト１２０の接触部１２２に接触し、これにより雌型コンタクトに接続された電線（図示せず）と雌型コンタクト１２０に接続された回路基板ＰＣＢとが相互に電気的に接続されることになる。雄型コネクタ１４０と雌型コネクタ１０１との嵌合状態においては、雄型コネクタ１４０のロックアームが雌型コネクタ１０１のロック係止部１１６に係止される。また、この嵌合状態においては、雄型コネクタ１４０の雌型コンタクトに雌型コネクタ１０１の雄型コンタクト１２０のタブ状接触部１２２が受容されて接触する。従って、雄型コネクタ１４０のロックアームと雌型コネクタ１０１のロック係止部１１６との係止力及び雄型コネクタ１４０の雌型コンタクトと雌型コネクタ１０１の雄型コンタクト１２０との接触力により、雌型コネクタ１０１からの雄型コネクタ１４０の引き抜きが防止される。
【特許文献１】特開平１０−１５４５３７号公報
【発明の開示】
【発明が解決しようとする課題】
【０００７】
しかしながら、図１８及び図１９に示した雌型コネクタ１０１にあっては、以下の問題点があった。
即ち、雌型コネクタ１０１においては、雌型ハウジング１１０の上壁１１４及び下壁１１５が比較的薄く形成されて低背化の要請は満たし、雄型コネクタ１４０と雌型コネクタ１０１との嵌合状態においては、雄型コネクタ１４０のロックアームと雌型コネクタ１０１のロック係止部１１６との係止力及び雄型コネクタ１４０の雌型コンタクトと雌型コネクタ１０１の雄型コンタクト１２０との接触力により、雌型コネクタ１０１からの雄型コネクタ１４０の引き抜きが防止されるようになっている。
【０００８】
しかし、雄型コネクタ１４０と雌型コネクタ１０１との嵌合状態において、例えば、雄型コネクタ１４０の後側（図１９における右側）が上下方向（図１９の矢印Ｂ方向）にあおられたときには、雌型コネクタ１０１において雌型ハウジング１１０の上壁１１４及び下壁１１５が薄いことから、かかる上壁１１４あるいは下壁１１５が変形して雄型コネクタ１４０のあおりを規制できずに、互いに接触している雄型コネクタ１４０の雌型コンタクトと雌型コネクタ１０１の雄型コンタクト１２０とが変形してしまうおそれがあった。また、雄型コネクタ１４０の後側が上下方向にあおられると、上壁１１４あるいは下壁１１５が破壊されるおそれもあった。雌型コネクタ１０１は回路基板ＰＣＢ上に実装されているため、この雌型コネクタ１０１と嵌合する雄型コネクタ１４０は上方向にあおられ易い。ここで、「あおり」とは、雄型コネクタ１４０の後側が上下方向に変位させられることをいう。
【０００９】
その一方、雄型コネクタ１４０のあおりを規制するために、雌型コネクタ１０１において雌型ハウジング１１０の上壁１１４及び下壁１１５を厚くすると、低背化の要請に反することになる。
従って、本発明は上述の問題点を解決するためになされたものであり、その目的は、雌型コネクタにおいて雌型ハウジングを厚壁化することなく、雄型コネクタの上下方向のあおりに対する強度を発揮しうる電気コネクタ組立体を提供することにある。
【課題を解決するための手段】
【００１０】
上記問題を解決するため、本発明のうち請求項１に係る電気コネクタ組立体は、雌型コネクタと、該雌型コネクタと嵌合する雄型コネクタとからなり、前記雌型コネクタが、雄型コネクタ受容凹部を有する雌型ハウングと、該雌型ハウジングに取り付けられたコンタクトとを備え、前記雄型コネクタが、前記雌型ハウジングの前記雄型コネクタ受容凹部に受容される雄型ハウジングと、該雄型ハウジングに取り付けられたコンタクトとを備えた電気コネクタ組立体において、前記雌型ハウジングの前記雄型コネクタ受容凹部の下壁内側に、コネクタ嵌合方向に延びると共に、前記コネクタ嵌合方向と直交する方向に突出する部分を有する雌側突起を設け、前記雌型ハウジングの前記雄型コネクタ受容凹部の側壁内側に、コネクタ嵌合方向に延びると共に、前記コネクタ嵌合方向と直交する方向に凹んだ雌側凹部を設け、前記雄型ハウジングの下面に、コネクタ嵌合方向に延びると共に、前記雌側突起の断面形状と相補的な断面形状を有する溝を設け、前記雄型ハウジングの側面に、コネクタ嵌合方向に延びると共に、前記雌側凹部の断面形状と相補的な断面形状を有する雄側突起を設け、前記雄型ハウジングの前記溝に前記雌型ハウジングの前記雌側突起が嵌入して前記雄型ハウジングの上下方向への変位を規制し、前記雄型ハウジングの前記雄側突起が前記雌型ハウジングの前記雌側凹部に受容されて前記雄型ハウジングの上下方向への変位を規制することを特徴としている。
【００１１】
また、本発明のうち請求項２に係る電気コネクタ組立体は、請求項１記載の電気コネクタ組立体において、前記雌型ハウジングに取り付けられたコンタクトが雄型コンタクトであり、前記雄型ハウジングに取り付けられたコンタクトが雌型コンタクトであることを特徴としている。
【発明の効果】
【００１２】
本発明のうち請求項１に係る電気コネクタ組立体によれば、雌型ハウジングの雄型コネクタ受容凹部の下壁内側に、コネクタ嵌合方向に延びると共に、コネクタ嵌合方向と直交する方向に突出する部分を有する雌側突起を設け、雌型ハウジングの雄型コネクタ受容凹部の側壁内側に、コネクタ嵌合方向に延びると共に、コネクタ嵌合方向と直交する方向に凹んだ雌側凹部を設け、雄型ハウジングの下面に、コネクタ嵌合方向に延びると共に、雌側突起の断面形状と相補的な断面形状を有する溝を設け、雄型ハウジングの側面に、コネクタ嵌合方向に延びると共に、雌側凹部の断面形状と相補的な断面形状を有する雄側突起を設け、雄型ハウジングの溝に雌型ハウジングの雌側突起が嵌入して雄型ハウジングの上下方向への変位を規制し、雄型ハウジングの雄側突起が雌型ハウジングの雌側凹部に受容されて雄型ハウジングの上下方向への変位を規制するので、雌型コネクタにおいて雌型ハウジングを厚壁化することなく、雄型コネクタの上下方向のあおりに対する強度を発揮しうる電気コネクタ組立体を提供できる。
【００１３】
また、本発明のうち請求項２に係る電気コネクタ組立体は、請求項１記載の電気コネクタ組立体において、前記雌型ハウジングに取り付けられたコンタクトが雄型コンタクトであり、前記雄型ハウジングに取り付けられたコンタクトが雌型コンタクトとしてある。これによれば、雄型コンタクトを有する雌型コネクタにおいて雌型ハウジングを厚壁化することなく、雌型コンタクトを有する雄型コネクタの上下方向のあおりに対する強度を発揮しうる電気コネクタ組立体を提供できる。
【発明を実施するための最良の形態】
【００１４】
次に本発明の実施形態を図面を参照して説明する。図１は、本発明に係る電気コネクタ組立体を示し、（Ａ）は雌型コネクタの背面斜め上方側から見た斜視図、（Ｂ）は雌型コネクタの正面斜め上方側から見た斜視図である。図２は、図１に示す電気コネクタ組立体の、雌型コネクタの左側面側から見た図である。
図１及び図２に示すように、電気コネクタ組立体１は、雌型コネクタ１０と、この雌型コネクタ１０と嵌合方向（図２において矢印Ｃによって示される向き）に嵌合する雄型コネクタ４０とからなっている。
【００１５】
図３は、雌型コネクタ１０を示し、（Ａ）は平面図、（Ｂ）は正面図である。図４は、図３の雌型コネクタ１０を示し、（Ａ）は底面図、（Ｂ）は背面図である。図５は、図３の雌型コネクタ１０を示し、（Ａ）は左側面図、（Ｂ）は図３（Ｂ）の５Ｂ−５Ｂ線に沿う断面図である。
雌型コネクタ１０は、回路基板（図示せず）上に実装されるように構成され、雌型ハウング２０と、この雌型ハウジング２０に上下２列状に取り付けられた複数のコンタクト３０とを備えている。
【００１６】
ここで、雌型ハウジング２０は、絶縁性の樹脂を成形することにより、左右方向（図３（Ｂ）における左右方向）に延びる直方体状に形成されされている。雌型ハウジング２０には、図１（Ｂ）及び図３（Ｂ）に示すように、雄型コネクタ４０を受容するための左右方向に延びる雄型コネクタ受容凹部２１が設けられている。そして、雌型ハウジング２０の雄型ハウジング受容凹部２１の上方に位置する上壁２２の内側には、左右方向の中心線ＣＬを挟んで対称位置に下方に突出する２個の突条２４が設けられている。これら２個の突条２４は雌型ハウジング２０の前面（図３（Ａ）における下面）から後方に向けて（即ち、雌型ハウジング２０の嵌合面からコネクタ嵌合方向後方に向けて）延び、両突条２４間が雄型コネクタ４０のロック片５９を受容するロック片受容空間２４ａを画定している。このロック片受容空間２４ａの上方に位置する上壁２２には、ロック片５９に設けられたロック突起５９ａとロック係合する係合突起２４ｂが設けられている。
【００１７】
また、雌型ハウジング２０の雄型ハウジング受容凹部２１の下方に位置する下壁２３の内側には、図３（Ｂ）に示すように、左右方向の中心線ＣＬを挟んで対称位置に上方に突出する２個の雌側突起２５が設けられている。これら２個の雌型突起２５は、それぞれ突条２４よりも左右方向外側に位置している。そして、各雌側突起２５は、雌型ハウジング２０の前面から後方に向けて（即ち、雌型ハウジング２０の嵌合面からコネクタ嵌合方向後方に向けて）雄型コネクタ受容凹部２１の奥側壁にいたるまで延びている。各雌側突起２５の左側面の上部には、嵌合面から見て左側に突出する突出部分２５ａが設けられている。各突出部分２５ａは、図５（Ｂ）に示すように、各雌側突起２５の前端から後端にいたるまでコネクタ嵌合方向に延びている。また、雌型ハウジング２０の雄型コネクタ受容凹部２１の左側壁２６ａ及び右側壁２６ｂのそれぞれ内側には、図３（Ｂ）に示すように、上下方向やや下側に雌側凹部２７が設けられている。雄型コネクタ受容凹部２１の左側壁２６ａに設けられた雌側凹部２７は、嵌合面から見て左側、即ち雌型ハウジング２０の外側に向けて凹んでおり、雌型ハウジング２０の前面から後方に向けて（即ち、ハウジング２０の嵌合面からコネクタ嵌合方向後方に向けて）所定距離だけ延びている。また、雄型コネクタ受容凹部２１の右側壁２６ｂに設けられた雌側凹部２７は、嵌合面から見て右側、即ち雌型ハウジング２０の外側に向けて凹んでおり、図５（Ｂ）に示すように、雌型ハウジング２０の前面から後方に向けて所定距離だけ延びている。また、雌型ハウジング２０の下壁２３の下面には、１対の位置決めポスト２８が設けられている。更に、雌型ハウジング２０の左側壁２６ａ及び右側壁２６ｂの外面には、雌型コネクタ１０を回路基板上に固定するための１対の金属製固定具２９が取り付けられている。
【００１８】
更に、雌型ハウジング２０に上下２列状に取り付けられた複数のコンタクト３０のそれぞれは、図５（Ｂ）に示すように、雌型ハウング２０に圧入固定された固定部３１と、固定部３１から前方に延び雄型コネクタ収容凹部２１内に突出する接触部３２と、固定部３１から後方に延びて雌型ハウジング２０の外部に突出する基板接続部３３とを具備している。各コンタクト３０は、金属板を打ち抜き及び曲げ加工することによって形成される。接触部３２は、雌型コネクタ１０と雄型コネクタ４０とが嵌合した際に、雄型コネクタ４０に設けられた第１コンタクト９１及び第２コンタクト９５に接触するようになっている。ここで、接触部３２は、ピン状に形成され、コンタクト３０は雄型コンタクトを構成している。また、基板接続部３３は、固定部３１から後方に延びてから斜め下方に折り曲げられて回路基板上の導体に接続されるようになっている。
【００１９】
次に、雄型コネクタ４０を、図６乃至図１７を参照して説明する。図６は、雄型コネクタ４０を示し、（Ａ）は正面斜め上方側から見た斜視図、（Ｂ）は背面斜め上方側から見た斜視図である。図７は、図６の雄型コネクタ４０を示し、（Ａ）は裏面側を正面斜め上方側から見た斜視図、（Ｂ）は裏面側を背面斜め上方側から見た斜視図である。図８は、図６の雄型コネクタ４０の平面図である。図９は、図６に示す雄型コネクタ４０においてサイドリテーナが仮係止位置にある状態を示し、（Ａ）は図８の９Ａ−９Ａ線に沿う断面図、（Ｂ）は図８の９Ｂ−９Ｂ線に沿う断面図である。図１０は、図６に示す雄型コネクタ４０においてサイドリテーナが仮係止位置にある状態を示し、（Ａ）はランスブロックの第１位置決め突起及び第２位置決め突起の双方の位置における断面図、（Ｂ）はランスブロックの第２位置決め突起及びハウジングの第１コンタクト挿通孔の双方の位置における断面図、（Ｃ）はランスブロックの第３位置決め突起及びサイドリテーナの本係止突起の双方の位置における断面図である。図１１は、図６に示す雄型コネクタ４０においてサイドリテーナが本係止位置にある状態を示し、（Ａ）は図８の９Ａ−９Ａ線に沿う断面図、（Ｂ）は図８の９Ｂ−９Ｂ線に沿う断面図である。図１２は、図６に示す雄型コネクタ４０においてサイドリテーナが本係止位置にある状態を示し、（Ａ）はランスブロックの第３位置決め突起及びハウジングの第２コンタクト挿通孔の双方の位置における断面図、（Ｂ）はハウジングの第１コンタクト挿通孔及び第２コンタクト挿通孔の双方の位置における断面図、（Ｃ）はランスブロックの第３位置決め突起及びサイドリテーナの本係止突起の双方の位置における断面図である。図１３は、雄型ハウジング、ランスブロック及びサイドリテーナを正面斜め上方側から見た斜視図である。図１４は、雄型ハウジング、ランスブロック及びサイドリテーナを正面斜め下方側から見た斜視図である。図１５は、雄型ハウジング、ランスブロック及びサイドリテーナを背面斜め下方側から見た斜視図である。図１６は、雄型ハウジングを示し、（Ａ）は平面図、（Ｂ）は正面図、（Ｃ）は背面図である。図１７は、図１６の雄型ハウジングを示し、（Ａ）は右側面図、（Ｃ）は底面図である。
【００２０】
図６及び図７に示すように、雄型コネクタ４０は、雄型ハウジング５０と、雄型ハウジング５０に上下２列状に収容される複数の第１コンタクト９１及び第２コンタクト９５（図９及び図１１参照）と、ランスブロック７０と、サイドリテーナ８０とを備えている。以下、図８において、左側を「左側」、右側を「右側」、図９（Ａ）及び図９（Ｂ）において、左側を「前側」、右側を「後側」、上側を「上側」、下側を「下側」として説明する。
【００２１】
ここで、雄型ハウジング５０は、図１６及び図１７に示すように、前面５１ａ、後面５１ｂ、上面５１ｃ、下面５１ｄ、左側面５１ｅ及び右側面５１ｆを有する左右方向に延びる直方体状に形成されている。雄型ハウジング５０は、雌型コネクタ１０の雄型コネクタ受容凹部２１内に受容されるようになっている。雄型ハウジング５０は、ＰＢＴ等の絶縁性の樹脂を成形することによって形成される。そして、雄型ハウジング５０の前後方向略中央部には、図１４及び図１５に良く示すように、その下面５１ｄから上方に向けて凹部５４が形成されている。雄型ハウジング５０の凹部５４よりも後方の部分には、各々が左右方向に所定ピッチで配列された上下２列状の第１コンタクト挿通孔５２及び第２コンタクト挿通孔５３が形成されている。各第１コンタクト挿通孔５２及び第２コンタクト挿通孔５３は、雄型ハウジング５０の後面５１ｂから凹部５４にかけて貫通している。また、雄型ハウジング５０の凹部５４よりも前方の部分には、上下２列状の第１コンタクト挿通孔５２及び第２コンタクト挿通孔５３のそれぞれに対応する位置に、各々が左右方向に所定ピッチで配列された上下２列状の第１相手コンタクト挿通孔５２ｂ及び第２相手コンタクト挿通孔５３ｂが形成されている。各第１相手コンタクト挿通孔５２ｂ及び第２相手コンタクト挿通孔５３ｂの前端入口には、雌型コネクタ１０に設けられたコンタクト３０の導入を容易にするための傾斜面５２ｃ、５３ｃが形成されている。各第１相手コンタクト挿通孔５２ｂ及び第２相手コンタクト挿通５３ｂは、雄型ハウジング５０の前面５１ａから凹部５４にかけて貫通している。そして、雄型ハウジング５０の凹部５４の前側端には、互いに隣接する第１相手コンタクト挿通孔５２ｂ間を仕切る複数の第１仕切壁５２ａが設けられている。互いに隣接する第１仕切壁５２ａの間隔は、第１コンタクト９１が収容可能な間隔である。そして、雄型ハウジング５０の前面５１ａには、図１３、図１４及び図１６（Ｂ）に示すように、各第１相手コンタクト挿通孔５２ｂに対応する複数のツール挿入孔６３が設けられている。また、同様に、雄型ハウジング５０の前面５１ａには、各第２相手コンタクト挿通孔５２ｂに対応する複数のツール挿入孔６４が設けられている。
【００２２】
また、雄型ハウジング５０の凹部５４の上面には、図１０（Ａ）及び図１７（Ｂ）に示すように、ランスブロック７０の第１位置決め突起７６が入り込む第１位置決め突起用凹部５５ａが設けられ、凹部５４の前端面には、図１０（Ａ）、図１０（Ｂ）及び図１５に示すように、ランスブロック７０の第２位置決め突起７７が入り込む複数の第２位置決め突起用凹部５５ｂが設けられている。更に、雄型ハウジング５０の上面５１ｃには、図８、図９（Ｂ）及び図１０（Ｃ）に示すように、ランスブロック７０の第３位置決め突起７４が入り込む複数の開口６１が凹部５４に貫通するように形成され、これら開口６１に臨む第１仕切壁５２ａの上縁部分に第３位置決め突起５４が係合する肩部５５ｃが形成されている。また、雄型ハウジング５０の左側面５１ｅ及び右側面５１ｆのそれぞれには、ランスブロック７０の係止突起７５ａが入り込む係止突起用開口５６が形成されている。更に、雄型ハウジング５０の左側面５１ｅ及び右側面５１ｆのそれぞれには、図６に示すように、サイドリテーナ８０の仮係止突起８４が入り込む仮係止突起用開口５７ａが形成され、ハウジング５０の凹部５４の後端面には、図１０（Ｃ）及び図１４に示すように、サイドリテーナ８０の本係止突起８５ａが下方から当接する複数の凸部５７ｂが形成されている。更に、雄型ハウジング５０の凹部５４の後端面であって凸部５７ｂの上方には、図１２（Ｃ）及び図１４に示すように、サイドリテーナ８０の本係止突起８５ａが入り込むスリット５８が雄型ハウジング５０の後端面に至るまで貫通している。そして、雄型ハウジング５０の上面５１ｃには、雌型コネクタ１０が嵌合した際に、雌型コネクタ１０をロックするためのロック片５９が設けられ、ロック片５９の前後方向略中央部には、ロック突起５９ａが設けられている。このロック突起５９ａは、雌型コネクタ１０の係合突起２４ｂに係合するようになっている。また、雄型ハウジング５０の上面５１ｃには、このロック片５９を保護するための保護部６０が設けられている。
【００２３】
また、雄型ハウジング５０の下面５１ｄには、図７（Ａ）及び図７（Ｂ）に示すように、雌型コネクタ１０の雌側突起２５の断面形状と相補的な断面形状を有する２個の第１溝６６ａが設けられている。各第１溝６６ａは、雄型ハウジング１０の左右方向において雌型コネクタ１０の雌側突起２５が嵌入される位置に設けられている。そして、各第１溝６６ａは、雄型ハウジング５０の前面５１ａから後方に向けて（即ち、雄型ハウジング５０の前面５１ａからコネクタ嵌合方向後方に向けて）凹部５４に至るまで延びている。更に、雄型ハウジング５０の左側面５１ｅ及び右側面５１ｆのそれぞれには、図６（Ａ）及び図６（Ｂ）に示すように、雌型コネクタ１０の雌側凹部２７の断面形状と相補的な断面形状を有する雄側突起６２が設けられている。各雄側突起６２は、仮係止突起用開口５７ａの下方部においてコネクタ嵌合方向に延びている。各雄側突起６２は、上下方向において雌型コネクタ１０の雌側凹部２７に受容される位置に設けられている。
【００２４】
次に、各第１コンタクト９１は、図９（Ｂ）に示すように、雄型ハウジング５０の凹部５４に雄型ハウジング５０の後面側から上列の第１コンタクト挿通孔５２を通って収容されるようになっている。各第１コンタクト９１は、雌型コンタクトとして構成され、雌型コネクタ１０に設けられたコンタクト３０の接触部３２を受容して接触部３２に接触する略箱形の接触部９２と、接触部９２から後方に延び、電線Ｗに接続される電線接続部９３とを具備している。接触部９２には、コンタクト３０の接触部３２に接触する弾性接触片９２ａが設けられている。各第１コンタクト９１は、金属板を打ち抜き及び曲げ加工することによって形成される。
【００２５】
また、各第２コンタクト９５は、図９（Ａ）に示すように、雄型ハウジング５０の凹部５４に雄型ハウジング５０の後面側から下列の第２コンタクト挿通孔５３を通って収容されるようになっている。各第２コンタクト９５は、第１コンタクト９１と同様に、雌型コンタクトとして構成され、雌型コネクタ１０に設けられたコンタクト３０の接触部３２を受容して接触部３２に接触する略箱形の接触部９６と、接触部９６から後方に延び、電線Ｗに接続される電線接続部９７とを具備している。接触部９６には、第１コンタクト９１の接触部９２と同様に、コンタクト３０の接触部３２に接触する弾性接触片９６ａが設けられている。各第２コンタクト９５は、金属板を打ち抜き及び曲げ加工することによって形成される。
【００２６】
また、ランスブロック７０は、図９乃至図１２に示すように、雄型ハウジング５０の凹部５４に下面側から挿入されて収容され、第１コンタクト９１及び第２コンタクト９５を一次的に係止するようになっている。このランスブロック７０は、図１３乃至図１５に示すように、雄型ハウジング５０の凹部５４内に収容可能な寸法で左右方向に延びる基部７１を備えている。ランスブロック７０は、絶縁性の樹脂を成形することによって形成される。基部７１には、雄型ハウジング５０の下列の第２コンタクト挿通孔５３及び第２相手コンタクト挿通孔５３ｂと同一のピッチで左右方向に配列された複数のランスブロック貫通孔７３が設けられている。各ランスブロック貫通孔７３の幅は、第２コンタクト９５が挿通可能な幅である。各ランスブロック貫通孔７３には、第２コンタクト９５を一次的に係止するための弾性ランス７３ａが設けられている。また、基部７１のランスブロック貫通孔７３の上方には、ランスブロック７０を凹部５４に収容したときに、雄型ハウジング５０に設けられた第１仕切壁５２ａに対して左右方向及び上下方向に整列する複数の第２仕切壁７２が設けられている。互いに隣接する第２仕切壁７２の間隔は、第１コンタクト９１が挿通可能な間隔である。各互いに隣接する第２仕切壁７２間には、第１コンタクト９１を一次的に係止するための弾性ランス７２ａが設けられている。
【００２７】
また、互いに隣接する第２仕切壁７２の上端には、図１３に示すように、両上端を連結する形の第３位置決め突起７４が設けられている。第３位置決め突起７４は、雄型ハウジング５０の上面５１ｃに形成された開口６１に入り込むことにより、ランスブロック７０の左右方向の位置決めを行うとともに、雄型ハウジング５０の第１仕切壁５２ａの上縁部分に形成された肩部５５ｃに当接することにより、ランスブロック７０の下方への移動を規制する。また、基部７１の左側面及び右側面には、図１３及び図１４に示すように、後方に向けて延びる１対の弾性舌片７５が設けられ、各弾性舌片７５の後端には、図６（Ａ）及び図６（Ｂ）に示すように、雄型ハウジング５０の係止突起用開口５６に入り込む係止突起７５ａが設けられている。係止突起７５ａは、雄型ハウジング５０の係止突起用開口５６に入り込むことにより、ランスブロック７０の前後方向の移動を規制する。また、基部７１の上面には、雄型ハウジング５０に設けられた第１位置決め突起用凹部５５ａに入り込む第１位置決め突起７６が設けられている。第１位置決め突起７６は、第１位置決め突起用凹部５５ａに入り込むことにより、ランスブロック７０の前方及び上方への移動を規制する。更に、基部７１の前面には、雄型ハウジング５０に設けられた第２位置決め突起用凹部５５ｂに入り込む複数の第２位置決め突起７７が設けられている。第２位置決め突起７７は、第２位置決め突起用凹部５５ｂに入り込むことにより、ランスブロック７０の上下方向の移動を規制する。また、基部７１の後面の下角縁には、図１０（Ｂ）及び図１５に示すように、サイドリテーナ８０の押圧突起８６によって押圧される複数の傾斜面７８が形成されている。
【００２８】
また、ランスブロック７０の基部７１の下面には、図７、図１４及び図１５に示すように、雌型コネクタ１０の雌側突起２５の断面形状と相補的な断面形状を有する２個の第２溝６６ｂが設けられている。各第２溝６６ｂは、基部７１の左右方向において雌型コネクタ１０の雌側突起２５が嵌入される位置に設けられている。そして、各第２溝６６ｂは、基部７１の前面から後方に向けて（即ち、コネクタ嵌合方向後方に向けて）後面に至るまで延びている。
【００２９】
更に、サイドリテーナ８０は、図９乃至図１２に示すように、雄型ハウジング５０の凹部５４に下面側から挿入されて収容され、第１コンタクト９１及び第２コンタクト９５を二次的に係止するようになっている。サイドリテーナ８０は、図９及び図１０に示す仮係止位置から図１１及び図１２に示す本係止位置に移動する。サイドリテーナ８０は、本係止位置にあるときに第１コンタクト９１及び第２コンタクト９５を二次的に係止する。このサイドリテーナ８０は、図１３乃至図１５に示すように、雄型ハウジング５０の凹部５４に収容可能な寸法で左右方向に延びる基部８１を備えている。サイドリテーナ８０は、絶縁性の樹脂を成形することによって形成される。基部８１には、雄型ハウジング５０の第２コンタクト挿通孔５３及び第２相手コンタクト挿通孔５３ｂと同一のピッチで左右方向に配列された複数のサイドリテーナ貫通孔８３が設けられている。各サイドリテーナ貫通孔８３の幅は、第２コンタクト９５が挿通可能な幅である。また、基部８１のサイドリテーナ貫通孔８３の上方には、サイドリテーナ８０を雄型ハウジング５０の凹部５４に収容したときに、ランスブロック７０に設けられた第２仕切壁７２に対して左右方向及び上下方向に整列する複数の第３仕切壁８２が設けられている。隣接する第３仕切壁８２の間隔は、第１コンタクト９１が挿通可能な間隔である。
【００３０】
また、基部８１の左側面及び右側面には、図６及び図１３乃至図１５に示すように、雄型ハウジング５０に形成された仮係止突起用開口５７ａに入り込む１対の仮係止突起８４が設けられている。各仮係止突起８４は、図９及び図１０に示す仮係止位置において仮係止突起用開口５７ａの下端縁に係合し、サイドリテーナ８０の下方への移動を規制するようになっている。また、基部８１の後面には、後方に突出する複数の弾性部８５が設けられ、各弾性部８５には後方に突出する本係止突起８５ａが設けられている。各本係止突起８５ａは、図１０（Ｃ）に示す仮係止位置において雄型ハウジング５０の凸部５７ｂに下方から当接し、サイドリテーナ８０の上方への移動を規制する。また、各本係止突起８５ａは、図１２（Ｃ）に示す本係止位置において雄型ハウジング５０のスリット５８に入り込み、サイドリテーナ８０の上下方向の移動を規制するようになっている。また、基部８１の前面には、サイドリテーナ８０が本係止位置にあるときにランスブロック７０に設けられた傾斜面７８を押圧する複数の押圧突起８６が形成されている。これにより、サイドリテーナ８０は、ランスブロック７０を前方向に押圧して雄型ハウジング５０に固定するようになっている。
【００３１】
また、サイドリテーナ８０の基部８１の下面には、図７、図１４及び図１５に示すように、雌型コネクタ１０の雌側突起２５の断面形状と相補的な断面形状を有する２個の第３溝６６ｃが設けられている。各第３溝６６ｃは、サイドリテーナ８０が本係止位置にあるときに、基部８１の左右方向において雌型コネクタ１０の雌側突起２５が嵌入される位置に設けられている。そして、各第３溝６６ｃは、基部８１の前面から後方に向けて（即ち、コネクタ嵌合方向後方に向けて）延びている。雄型ハウジング１０に設けられた第１溝６６ａ、ランスブロック７０に設けられた第２溝６６ｂ及びサイドリテーナ８０に設けられた第３溝６６ｃにより、請求項１にいう「溝」を構成する。
【００３２】
次に、雌型コネクタ１０の組立方法について説明する。
先ず、図１３乃至図１６に示す状態において、雌型ハウジング５０の凹部５４内に、雄型ハウジング５０の下面側からランスブロック７０を挿入して収容する。この際に、ランスブロック７０を、雄型ハウジング５０の下面側から凹部５４内に挿入し、そして、ランスブロック７０を前方向に移動させることによりランスブロック７０を雄型ハウジング５０に固定する。
【００３３】
ランスブロック７０を雄型ハウジング５０の凹部５４内に収容すると、図１０（Ｂ）に示すように、ランスブロック７０の第２仕切壁７２が雄型ハウジング５０の第１仕切壁５２ａに対して左右方向及び上下方向に整列する。また、ランスブロック７０のランスブロック貫通孔７３が雄型ハウジング５０の第２コンタクト挿通孔５３及び第２相手コンタクト挿通孔５３ｂに対して整列する。
【００３４】
次いで、サイドリテーナ８０を雄型ハウジング５０の凹部５４に雄型ハウジング５０の下面側から挿入し、図９及び図１０に示す仮係止位置に位置させる。この仮係止位置では、図１０（Ｂ）に示すように、サイドリテーナ８０の第３仕切壁８２がランスブロック７０の第２仕切壁７２に対して左右方向に整列している。また、図９（Ａ）に示すように、サイドリテーナ８０のサイドリテーナ貫通孔８３が雄型ハウジング５０の第２コンタクト挿通孔５３及びランスブロック７０のランスブロック貫通孔７３に対して整列する。
【００３５】
そして、サイドリテーナ７０の仮係止位置において、図９（Ｂ）に示すように、各第１コンタクト９１を、雄型ハウジング５０の後方から前方に向けて上列の第１コンタクト挿通孔５２、サイドリテーナ８０の第３仕切壁８２間、及びランスブロック７０の第２仕切壁７２間を通して雄型ハウジング５０の第１仕切壁５２ａ間に収容する。すると、各第１コンタクト９１は、ランスブロック７０の弾性ランス７２ａにより一次的に係止される。この際に、各第１コンタクト９１は、各第１相手コンタクト挿通孔５２ｂに対して同軸的に配置される。
【００３６】
また、サイドリテーナ８０の仮係止位置において、図９（Ａ）に示すように、各第２コンタクト９５を、雄型ハウジング５０の後方から前方に向けて下列の第２コンタクト挿通孔５３及びサイドリテーナ８０のサイドリテーナ貫通孔８３を通して、ランスブロック７０のランスブロック貫通孔７３に収容する。すると、各第２コンタクト９５は、ランスブロック７０の弾性ランス７３ａにより一次的に係止される。この際に、各第２コンタクト９５は、各第２相手コンタクト挿通孔５３ｂに対して同軸的に配置される。
【００３７】
次いで、図１１に示すように、サイドリテーナ８０を更に上方に移動させて本係止位置に位置させる。この本係止位置では、図１２（Ｂ）に示すように、サイドリテーナ８０の第３仕切壁８２がランスブロック７０の第２仕切壁７２に対して上下方向に整列するとともに、図１１（Ｂ）に示すように、第３仕切壁８２の下方の基部８１の前端面が第１コンタクト９１を二次的に係止し、第１コンタクト９１の抜け止めを行う。また、同時に、図１２（Ｂ）に示すように、サイドリテーナ８０のサイドリテーナ貫通孔８３が雄型ハウジング５０の第２コンタクト挿通孔５３に対してやや上方に位置し、図１１（Ａ）に示すように、サイドリテーナ貫通孔８３の下方の基部８１の前端面が第２コンタクト９５を二次的に係止し、第２コンタクト９５の抜け止めを行う。サイドリテーナ８０によって第１コンタクト９１及び第２コンタクト９５を二次的に係止することにより、雄型コネクタ４０は完成する。
【００３８】
このように完成した雄型コネクタ４０を、雌型コネクタ１０に対して嵌合方向（図２において矢印Ｃによって示される向き）に嵌合すると、雌型コネクタ１０のコンタクト３０の接触部３２が雄型コネクタ４０の第１コンタクト９１の接触部９２及び第２コンタクト９５の接触部９６に接触し、コンタクト３０に接続された回路基板と第１コンタクト９１及び第２コンタクト９２に接続された電線Ｗとが電気的に接続する。雄型コネクタ４０と雌型コネクタ１０との嵌合の際には、雌型ハウジング２０の雄型コネクタ受容凹部２１内に雄型コネクタ４０の雄型ハウジング５０が受容される。そして、雄型コネクタ４０のロック突起５９ａが雌型コネクタ１０の係合突起２４ｂにロック係合する。この嵌合状態においては、雄型コネクタ４０のロック突起５９ａと雌型コネクタ１０の係合突起２４ｂとの係止力、及び雄型コネクタ４０の第１コンタクト９１及び第２コンタクト９５と雌型コネクタ１０のコンタクト３０との接触力により、雌型コネクタ１０からの雄型コネクタ４０の引き抜きが防止される。
【００３９】
そして、この嵌合の際には、雄型ハウジング５０の第１溝６６ａ、ランスブロック７０の第２溝６６ｂ及びサイドリテーナ８０の第３溝６６ｃに雌型ハウジング２０の雌側突起２５が順次嵌入して雄型ハウジング５０の上下方向（図２の矢印Ｄで示す方向）への変位を規制し、また、雄型ハウジング５０の雄側突起６２が雌型ハウジング２０の雌側凹部２７に受容されて雄型ハウジング５０の上下方向への変位を規制する。これにより、雌型コネクタ１０において雌型ハウジング２０を厚壁化することなく、雄型コネクタ４０の上下方向のあおりに対する強度を発揮しうる電気コネクタ組立体１を提供できる。ここで、雌型ハウジング２０に設けられた雌側突起２５は、コネクタ嵌合方向（前後方向）と直交する方向に突出する突出部分２５ａを有し、この突出部分２５ａを含む雄側突起２５が雄型ハウジング５０の第１溝６６ａ、ランスブロック７０の第２溝６６ｂ及びサイドリテーナ８０の第３溝６６ｃに嵌入されるようになっているので、雄型ハウジング５０の上下方向への変位を確実に規制できる。
【００４０】
特に、雌型コネクタ１０は回路基板上に実装されているため、この雌型コネクタ１０と嵌合する雄型コネクタ４０は上方向にあおられ易く、この雄型コネクタ４０の上方向へのあおりに対して電気コネクタ組立体１は特に強い強度を発揮しうる。
また、雌型コネクタ１０に設けられた突条２４及び雌側突起２５は、雄型コネクタ４０の角部等による雄型コンタクト３０の変形防止（いわゆるこじり防止）機能と、雄型コネクタ４０の上下逆さま挿入の防止機能とを有する。
以上、本発明の実施形態について説明してきたが、本発明はこれに限定されずに種々の変更、改良を行うことができる。
例えば、雌型コネクタ１０に設けられたコンタクト３０は、必ずしも上下２列状に配置される必要はなく、１列状であってもよいし、３列状以上であってもよいし、単数であってもよい。
【００４１】
また、雄型コネクタ４０には、必ずしもランスブロック７０やサイドリテーナ８０を設ける必要はなく、雄型ハウジング５０と、これに取り付けられたコンタクトとで雄型ハウジング４０を構成してもよい。この場合コンタクトは、必ずしも上下２列状に配置される必要はなく、１列状であってもよいし、３列状以上であってもよいし、単数であってもよい。そして、ランスブロック７０及びサイドリテーナ８０を設けない場合には、雄型ハウジング４０においてコネクタ嵌合方向に比較的長い溝を形成して、この溝に雌型コネクタ１０の雌側突起２５を嵌入するようにする。
更に、雌型ハウジング２０に取り付けられたコンタクト３０を雌型コンタクトとして構成し、その一方、雄型ハウジング５０に取り付けられたコンタクトを雄型コンタクトとして構成してもよい。
【図面の簡単な説明】
【００４２】
【図１】本発明に係る電気コネクタ組立体を示し、（Ａ）は雌型コネクタの背面斜め上方側から見た斜視図、（Ｂ）は雌型コネクタの正面斜め上方側から見た斜視図である。
【図２】図１に示す電気コネクタ組立体の、雌型コネクタの左側面側から見た図である。
【図３】雌型コネクタを示し、（Ａ）は平面図、（Ｂ）は正面図である。
【図４】図３の雌型コネクタを示し、（Ａ）は底面図、（Ｂ）は背面図である。
【図５】図３の雌型コネクタを示し、（Ａ）は左側面図、（Ｂ）は図３（Ｂ）の５Ｂ−５Ｂ線に沿う断面図である。
【図６】雄型コネクタを示し、（Ａ）は正面斜め上方側から見た斜視図、（Ｂ）は背面斜め上方側から見た斜視図である。
【図７】図６の雄型コネクタを示し、（Ａ）は裏面側を正面斜め上方側から見た斜視図、（Ｂ）は裏面側を背面斜め上方側から見た斜視図である。
【図８】図６の雄型コネクタの平面図である。
【図９】図６に示す雄型コネクタにおいてサイドリテーナが仮係止位置にある状態を示し、（Ａ）は図８の９Ａ−９Ａ線に沿う断面図、（Ｂ）は図８の９Ｂ−９Ｂ線に沿う断面図である。
【図１０】図６に示す雄型コネクタにおいてサイドリテーナが仮係止位置にある状態を示し、（Ａ）はランスブロックの第１位置決め突起及び第２位置決め突起の双方の位置における断面図、（Ｂ）はランスブロックの第２位置決め突起及びハウジングの第１コンタクト挿通孔の双方の位置における断面図、（Ｃ）はランスブロックの第３位置決め突起及びサイドリテーナの本係止突起の双方の位置における断面図である。
【図１１】図６に示す雄型コネクタにおいてサイドリテーナが本係止位置にある状態を示し、（Ａ）は図８の９Ａ−９Ａ線に沿う断面図、（Ｂ）は図８の９Ｂ−９Ｂ線に沿う断面図である。
【図１２】図６に示す雄型コネクタにおいてサイドリテーナが本係止位置にある状態を示し、ランスブロックの第３位置決め突起及びハウジングの第２コンタクト挿通孔の双方の位置における断面図、（Ｂ）はハウジングの第１コンタクト挿通孔及び第２コンタクト挿通孔の双方の位置における断面図、（Ｃ）はランスブロックの第３位置決め突起及びサイドリテーナの本係止突起の双方の位置における断面図である。
【図１３】雄型ハウジング、ランスブロック及びサイドリテーナを正面斜め上方側から見た斜視図である。
【図１４】雄型ハウジング、ランスブロック及びサイドリテーナを正面斜め下方側から見た斜視図である。
【図１５】雄型ハウジング、ランスブロック及びサイドリテーナを背面斜め下方側から見た斜視図である。
【図１６】雄型ハウジングを示し、（Ａ）は平面図、（Ｂ）は正面図、（Ｃ）は背面図である。
【図１７】図１６の雄型ハウジングを示し、（Ａ）は右側面図、（Ｃ）は底面図である。
【図１８】従来の雌型コネクタの正面図である。
【図１９】図１８における１９−１９線に沿う断面図である。
【符号の説明】
【００４３】
１  電気コネクタ組立体
１０  雌型コネクタ
２０  雌型ハウジング
２１  雄型コネクタ受容凹部
２２  雌型ハウジングの上壁
２３  雌型ハウジングの下壁
２５  雌側突起
２５ａ  突出部分
２６ａ  雌型ハウジングの左側壁
２６ｂ  雌型ハウジングの右側壁
２７  雌側凹部
３０  コンタクト
４０  雄型コネクタ
５０  雄型ハウジング
５１ｄ  雄型ハウジングの下面
５１ｅ  雄型ハウジングの左側面
５１ｆ  雄型ハウジングの右側面
６２  雄側突起
６６ａ  第１溝（溝）
６６ｂ  第２溝（溝）
６６ｃ  第３溝（溝）
９１  第１コンタクト（コンタクト）
９２  第２コンタクト（コンタクト）
【図１】
2007324050.tif 000003
【図２】
2007324050.tif 000004
【図３】
2007324050.tif 000005
【図４】
2007324050.tif 000006
【図５】
2007324050.tif 000007
【図６】
2007324050.tif 000008
【図７】
2007324050.tif 000009
【図８】
2007324050.tif 000010
【図９】
2007324050.tif 000011
【図１０】
2007324050.tif 000012
【図１１】
2007324050.tif 000013
【図１２】
2007324050.tif 000014
【図１３】
2007324050.tif 000015
【図１４】
2007324050.tif 000016
【図１５】
2007324050.tif 000017
【図１６】
2007324050.tif 000018
【図１７】
2007324050.tif 000019
【図１８】
2007324050.tif 000020
【図１９】
2007324050.tif 000021
【手続補正書】
【提出日】平成19年5月28日(2007.5.28)
【手続補正１】
【補正対象書類名】明細書
【補正対象項目名】０００４
【補正方法】変更
【補正の内容】
【０００４】
図１８及び図１９において、雌型コネクタ１０１は、雌型ハウジング１１０、雌型ハウジング１１０に取り付けられた複数の雄型コンタクト１２０、及びタインプレート１３０とを具備している。
ここで、雌型ハウジング１１０は、絶縁性の樹脂を成形することによって、長手方向（図１８において左右方向）に延びる直方体状に形成されている。雌型ハウジング１１０の下面には、複数のねじ取付部１１２と、複数のスタンドオフ１１９とが設けられ、雌型ハウジング１１０はこれらねじ取付部１１２及びスタンドオフ１１９を介して回路基板ＰＣＢ上に実装されるようになっている。各ねじ取付部１１２には、回路基板ＰＣＢ上に雌型ハウジング１１０を取り付けるための取付ねじ１４０が螺入されるねじ穴１１３が設けられている。そして、雌型ハウジング１１０の内部には、図１９における矢印Ａによって示される向きに挿入される雄型コネクタ１５０が受容される複数の雄型コネクタ受容凹部１１１ａ〜１１１ｅが設けられている。複数の雄型コネクタ受容凹部１１１ａ〜１１１ｅは、長手方向に沿って配列されている。各雄型コネクタ受容凹部１１１ａ〜１１１ｅの上壁１１４の下側には、雄型コネクタ１５０のロックアーム（図示せず）と係止して雄型コネクタ１５０との嵌合状態を維持するロック係止部１１６が設けられている。また、各雄型コネクタ受容凹部１１１ａ〜１１１ｅにおいては、上壁１１４から下壁１１５に向かって延びる突条１１７と、下壁１１５から上壁１１４に向かって延びる突条１１８とが設けられている。これら突条１１７，１１８は、雄型コネクタ１５０の角部等による雄型コンタクト１２０の変形防止（いわゆるこじり防止）、雄型コネクタ受容凹部１１１ａ〜１１１ｅごとに位置を変えることによる類似異種の雄型コネクタ１５０の挿入防止（キーイング）、及び雄型コネクタ１５０の上下逆さま挿入の防止の機能を有する。
【手続補正２】
【補正対象書類名】明細書
【補正対象項目名】０００５
【補正方法】変更
【補正の内容】
【０００５】
また、各雄型コンタクト１２０は、雌型ハウジング１１０に圧入固定される固定部１２１と、固定部１２１から各雄型コネクタ受容凹部１１１ａ〜１１１ｅ内に延び、雄型コネクタ１５０に設けられた雌型コンタクト（図示せず）に接触するタブ状の接触部１２２と、固定部１２１から外方向（図１９における左方）に延出し且つ途中で屈曲して回路基板ＰＣＢに向かって延びる脚部１２３とを備えている。各脚部１２３は、回路基板ＰＣＢに電気的に接続されるようになっている。そして、各雄型コンタクト１２０は、金属板を打ち抜き及び曲げ加工することによって形成さている。
【手続補正３】
【補正対象書類名】明細書
【補正対象項目名】０００６
【補正方法】変更
【補正の内容】
【０００６】
更に、タインプレート１３０は、平板状に形成され、各雄型コンタクト１２０の脚部１２３を回路基板ＰＣＢの貫通穴ＰＣＢ１に対して整列するように構成されている。
そして、相手の雄型コネクタ１５０は、雌型コネクタ１０１の各雄型コネクタ受容凹部１１１ａ〜１１１ｅ内に図１９に示す矢印Ａによって示される向きに挿入され、雄型コネクタ１５０に設けられた雌型コンタクトが雄型コンタクト１２０の接触部１２２に接触し、これにより雌型コンタクトに接続された電線（図示せず）と雄型コンタクト１２０に接続された回路基板ＰＣＢとが相互に電気的に接続されることになる。雄型コネクタ１５０と雌型コネクタ１０１との嵌合状態においては、雄型コネクタ１５０のロックアームが雌型コネクタ１０１のロック係止部１１６に係止される。また、この嵌合状態においては、雄型コネクタ１５０の雌型コンタクトに雌型コネクタ１０１の雄型コンタクト１２０のタブ状接触部１２２が受容されて接触する。従って、雄型コネクタ１５０のロックアームと雌型コネクタ１０１のロック係止部１１６との係止力及び雄型コネクタ１５０の雌型コンタクトと雌型コネクタ１０１の雄型コンタクト１２０との接触力により、雌型コネクタ１０１からの雄型コネクタ１５０の引き抜きが防止される。
【手続補正４】
【補正対象書類名】明細書
【補正対象項目名】０００７
【補正方法】変更
【補正の内容】
【０００７】
しかしながら、図１８及び図１９に示した雌型コネクタ１０１にあっては、以下の問題点があった。
即ち、雌型コネクタ１０１においては、雌型ハウジング１１０の上壁１１４及び下壁１１５が比較的薄く形成されて低背化の要請は満たし、雄型コネクタ１５０と雌型コネクタ１０１との嵌合状態においては、雄型コネクタ１５０のロックアームと雌型コネクタ１０１のロック係止部１１６との係止力及び雄型コネクタ１５０の雌型コンタクトと雌型コネクタ１０１の雄型コンタクト１２０との接触力により、雌型コネクタ１０１からの雄型コネクタ１５０の引き抜きが防止されるようになっている。
【手続補正５】
【補正対象書類名】明細書
【補正対象項目名】０００８
【補正方法】変更
【補正の内容】
【０００８】
しかし、雄型コネクタ１５０と雌型コネクタ１０１との嵌合状態において、例えば、雄型コネクタ１５０の後側（図１９における右側）が上下方向（図１９の矢印Ｂ方向）にあおられたときには、雌型コネクタ１０１において雌型ハウジング１１０の上壁１１４及び下壁１１５が薄いことから、かかる上壁１１４あるいは下壁１１５が変形して雄型コネクタ１５０のあおりを規制できずに、互いに接触している雄型コネクタ１５０の雌型コンタクトと雌型コネクタ１０１の雄型コンタクト１２０とが変形してしまうおそれがあった。また、雄型コネクタ１５０の後側が上下方向にあおられると、上壁１１４あるいは下壁１１５が破壊されるおそれもあった。雌型コネクタ１０１は回路基板ＰＣＢ上に実装されているため、この雌型コネクタ１０１と嵌合する雄型コネクタ１５０は上方向にあおられ易い。ここで、「あおり」とは、雄型コネクタ１５０の後側が上下方向に変位させられることをいう。
【手続補正６】
【補正対象書類名】明細書
【補正対象項目名】０００９
【補正方法】変更
【補正の内容】
【０００９】
その一方、雄型コネクタ１５０のあおりを規制するために、雌型コネクタ１０１において雌型ハウジング１１０の上壁１１４及び下壁１１５を厚くすると、低背化の要請に反することになる。
従って、本発明は上述の問題点を解決するためになされたものであり、その目的は、雌型コネクタにおいて雌型ハウジングを厚壁化することなく、雄型コネクタの上下方向のあおりに対する強度を発揮しうる電気コネクタ組立体を提供することにある。
【手続補正７】
【補正対象書類名】明細書
【補正対象項目名】００１６
【補正方法】変更
【補正の内容】
【００１６】
ここで、雌型ハウジング２０は、絶縁性の樹脂を成形することにより、左右方向（図３（Ｂ）における左右方向）に延びる直方体状に形成されている。雌型ハウジング２０には、図１（Ｂ）及び図３（Ｂ）に示すように、雄型コネクタ４０を受容するための左右方向に延びる雄型コネクタ受容凹部２１が設けられている。そして、雌型ハウジング２０の雄型コネクタ受容凹部２１の上方に位置する上壁２２の内側には、左右方向の中心線ＣＬを挟んで対称位置に下方に突出する２個の突条２４が設けられている。これら２個の突条２４は雌型ハウジング２０の前面（図３（Ａ）における下面）から後方に向けて（即ち、雌型ハウジング２０の嵌合面からコネクタ嵌合方向後方に向けて）延び、両突条２４間が雄型コネクタ４０のロック片５９を受容するロック片受容空間２４ａを画定している。このロック片受容空間２４ａの上方に位置する上壁２２には、ロック片５９に設けられたロック突起５９ａとロック係合する係合突起２４ｂが設けられている。
【手続補正８】
【補正対象書類名】明細書
【補正対象項目名】００１７
【補正方法】変更
【補正の内容】
【００１７】
また、雌型ハウジング２０の雄型コネクタ受容凹部２１の下方に位置する下壁２３の内側には、図３（Ｂ）に示すように、左右方向の中心線ＣＬを挟んで対称位置に上方に突出する２個の雌側突起２５が設けられている。これら２個の雌側突起２５は、それぞれ突条２４よりも左右方向外側に位置している。そして、各雌側突起２５は、雌型ハウジング２０の前面から後方に向けて（即ち、雌型ハウジング２０の嵌合面からコネクタ嵌合方向後方に向けて）雄型コネクタ受容凹部２１の奥側壁にいたるまで延びている。各雌側突起２５の左側面の上部には、嵌合面から見て左側に突出する突出部分２５ａが設けられている。各突出部分２５ａは、図５（Ｂ）に示すように、各雌側突起２５の前端から後端にいたるまでコネクタ嵌合方向に延びている。また、雌型ハウジング２０の雄型コネクタ受容凹部２１の左側壁２６ａ及び右側壁２６ｂのそれぞれ内側には、図３（Ｂ）に示すように、上下方向やや下側に雌側凹部２７が設けられている。雄型コネクタ受容凹部２１の左側壁２６ａに設けられた雌側凹部２７は、嵌合面から見て左側、即ち雌型ハウジング２０の外側に向けて凹んでおり、雌型ハウジング２０の前面から後方に向けて（即ち、ハウジング２０の嵌合面からコネクタ嵌合方向後方に向けて）所定距離だけ延びている。また、雄型コネクタ受容凹部２１の右側壁２６ｂに設けられた雌側凹部２７は、嵌合面から見て右側、即ち雌型ハウジング２０の外側に向けて凹んでおり、図５（Ｂ）に示すように、雌型ハウジング２０の前面から後方に向けて所定距離だけ延びている。また、雌型ハウジング２０の下壁２３の下面には、１対の位置決めポスト２８が設けられている。更に、雌型ハウジング２０の左側壁２６ａ及び右側壁２６ｂの外面には、雌型コネクタ１０を回路基板上に固定するための１対の金属製固定具２９が取り付けられている。
【手続補正９】
【補正対象書類名】明細書
【補正対象項目名】００１８
【補正方法】変更
【補正の内容】
【００１８】
更に、雌型ハウジング２０に上下２列状に取り付けられた複数のコンタクト３０のそれぞれは、図５（Ｂ）に示すように、雌型ハウング２０に圧入固定された固定部３１と、固定部３１から前方に延び雄型コネクタ受容凹部２１内に突出する接触部３２と、固定部３１から後方に延びて雌型ハウジング２０の外部に突出する基板接続部３３とを具備している。各コンタクト３０は、金属板を打ち抜き及び曲げ加工することによって形成される。
接触部３２は、雌型コネクタ１０と雄型コネクタ４０とが嵌合した際に、雄型コネクタ４０に設けられた第１コンタクト９１及び第２コンタクト９５に接触するようになっている。ここで、接触部３２は、ピン状に形成され、コンタクト３０は雄型コンタクトを構成している。また、基板接続部３３は、固定部３１から後方に延びてから斜め下方に折り曲げられて回路基板上の導体に接続されるようになっている。
【手続補正１０】
【補正対象書類名】明細書
【補正対象項目名】００１９
【補正方法】変更
【補正の内容】
【００１９】
次に、雄型コネクタ４０を、図６乃至図１７を参照して説明する。図６は、雄型コネクタ４０を示し、（Ａ）は正面斜め上方側から見た斜視図、（Ｂ）は背面斜め上方側から見た斜視図である。図７は、図６の雄型コネクタ４０を示し、（Ａ）は裏面側を正面斜め上方側から見た斜視図、（Ｂ）は裏面側を背面斜め上方側から見た斜視図である。図８は、図６の雄型コネクタ４０の平面図である。図９は、図６に示す雄型コネクタ４０においてサイドリテーナが仮係止位置にある状態を示し、（Ａ）は図８の９Ａ−９Ａ線に沿う断面図、（Ｂ）は図８の９Ｂ−９Ｂ線に沿う断面図である。図１０は、図６に示す雄型コネクタ４０においてサイドリテーナが仮係止位置にある状態を示し、（Ａ）はランスブロックの第１位置決め突起及び第２位置決め突起の双方の位置における断面図、（Ｂ）はランスブロックの第２位置決め突起及びハウジングの第１コンタクト挿通孔の双方の位置における断面図、（Ｃ）はランスブロックの第３位置決め突起及びサイドリテーナの本係止突起の双方の位置における断面図である。図１１は、図６に示す雄型コネクタ４０においてサイドリテーナが本係止位置にある状態を示し、（Ａ）は図８の９Ａ−９Ａ線に沿う断面図、（Ｂ）は図８の９Ｂ−９Ｂ線に沿う断面図である。図１２は、図６に示す雄型コネクタ４０においてサイドリテーナが本係止位置にある状態を示し、（Ａ）はランスブロックの第３位置決め突起及びハウジングの第２コンタクト挿通孔の双方の位置における断面図、（Ｂ）はハウジングの第１コンタクト挿通孔及び第２コンタクト挿通孔の双方の位置における断面図、（Ｃ）はランスブロックの第３位置決め突起及びサイドリテーナの本係止突起の双方の位置における断面図である。図１３は、雄型ハウジング、ランスブロック及びサイドリテーナを正面斜め上方側から見た斜視図である。図１４は、雄型ハウジング、ランスブロック及びサイドリテーナを正面斜め下方側から見た斜視図である。図１５は、雄型ハウジング、ランスブロック及びサイドリテーナを背面斜め下方側から見た斜視図である。図１６は、雄型ハウジングを示し、（Ａ）は平面図、（Ｂ）は正面図、（Ｃ）は背面図である。図１７は、図１６の雄型ハウジングを示し、（Ａ）は右側面図、（Ｂ）は底面図である。
【手続補正１１】
【補正対象書類名】明細書
【補正対象項目名】００２１
【補正方法】変更
【補正の内容】
【００２１】
ここで、雄型ハウジング５０は、図１６及び図１７に示すように、前面５１ａ、後面５１ｂ、上面５１ｃ、下面５１ｄ、左側面５１ｅ及び右側面５１ｆを有する左右方向に延びる直方体状に形成されている。雄型ハウジング５０は、雌型コネクタ１０の雄型コネクタ受容凹部２１内に受容されるようになっている。雄型ハウジング５０は、ＰＢＴ等の絶縁性の樹脂を成形することによって形成される。そして、雄型ハウジング５０の前後方向略中央部には、図１４及び図１５に良く示すように、その下面５１ｄから上方に向けて凹部５４が形成されている。雄型ハウジング５０の凹部５４よりも後方の部分には、各々が左右方向に所定ピッチで配列された上下２列状の第１コンタクト挿通孔５２及び第２コンタクト挿通孔５３が形成されている。各第１コンタクト挿通孔５２及び第２コンタクト挿通孔５３は、雄型ハウジング５０の後面５１ｂから凹部５４にかけて貫通している。また、雄型ハウジング５０の凹部５４よりも前方の部分には、上下２列状の第１コンタクト挿通孔５２及び第２コンタクト挿通孔５３のそれぞれに対応する位置に、各々が左右方向に所定ピッチで配列された上下２列状の第１相手コンタクト挿通孔５２ｂ及び第２相手コンタクト挿通孔５３ｂが形成されている。各第１相手コンタクト挿通孔５２ｂ及び第２相手コンタクト挿通孔５３ｂの前端入口には、雌型コネクタ１０に設けられたコンタクト３０の導入を容易にするための傾斜面５２ｃ、５３ｃが形成されている。各第１相手コンタクト挿通孔５２ｂ及び第２相手コンタクト挿通５３ｂは、雄型ハウジング５０の前面５１ａから凹部５４にかけて貫通している。そして、雄型ハウジング５０の凹部５４の前側端には、互いに隣接する第１相手コンタクト挿通孔５２ｂ間を仕切る複数の第１仕切壁５２ａが設けられている。互いに隣接する第１仕切壁５２ａの間隔は、第１コンタクト９１が収容可能な間隔である。そして、雄型ハウジング５０の前面５１ａには、図１３、図１４及び図１６（Ｂ）に示すように、各第１相手コンタクト挿通孔５２ｂに対応する複数のツール挿入孔６３が設けられている。また、同様に、雄型ハウジング５０の前面５１ａには、各第２相手コンタクト挿通孔５３ｂに対応する複数のツール挿入孔６４が設けられている。
【手続補正１２】
【補正対象書類名】明細書
【補正対象項目名】００２２
【補正方法】変更
【補正の内容】
【００２２】
また、雄型ハウジング５０の凹部５４の上面には、図１０（Ａ）及び図１７（Ｂ）に示すように、ランスブロック７０の第１位置決め突起７６が入り込む第１位置決め突起用凹部５５ａが設けられ、凹部５４の前端面には、図１０（Ａ）、図１０（Ｂ）及び図１５に示すように、ランスブロック７０の第２位置決め突起７７が入り込む複数の第２位置決め突起用凹部５５ｂが設けられている。更に、雄型ハウジング５０の上面５１ｃには、図８、図９（Ｂ）及び図１０（Ｃ）に示すように、ランスブロック７０の第３位置決め突起７４が入り込む複数の開口６１が凹部５４に貫通するように形成され、これら開口６１に臨む第１仕切壁５２ａの上縁部分に第３位置決め突起７４が係合する肩部５５ｃが形成されている。また、雄型ハウジング５０の左側面５１ｅ及び右側面５１ｆのそれぞれには、ランスブロック７０の係止突起７５ａが入り込む係止突起用開口５６が形成されている。更に、雄型ハウジング５０の左側面５１ｅ及び右側面５１ｆのそれぞれには、図６に示すように、サイドリテーナ８０の仮係止突起８４が入り込む仮係止突起用開口５７ａが形成され、ハウジング５０の凹部５４の後端面には、図１０（Ｃ）及び図１４に示すように、サイドリテーナ８０の本係止突起８５ａが下方から当接する複数の凸部５７ｂが形成されている。更に、雄型ハウジング５０の凹部５４の後端面であって凸部５７ｂの上方には、図１２（Ｃ）及び図１４に示すように、サイドリテーナ８０の本係止突起８５ａが入り込むスリット５８が雄型ハウジング５０の後端面に至るまで貫通している。そして、雄型ハウジング５０の上面５１ｃには、雌型コネクタ１０が嵌合した際に、雌型コネクタ１０をロックするためのロック片５９が設けられ、ロック片５９の前後方向略中央部には、ロック突起５９ａが設けられている。このロック突起５９ａは、雌型コネクタ１０の係合突起２４ｂに係合するようになっている。また、雄型ハウジング５０の上面５１ｃには、このロック片５９を保護するための保護部６０が設けられている。
【手続補正１３】
【補正対象書類名】明細書
【補正対象項目名】００２３
【補正方法】変更
【補正の内容】
【００２３】
また、雄型ハウジング５０の下面５１ｄには、図７（Ａ）及び図７（Ｂ）に示すように、雌型コネクタ１０の雌側突起２５の断面形状と相補的な断面形状を有する２個の第１溝６６ａが設けられている。各第１溝６６ａは、雄型ハウジング５０の左右方向において雌型コネクタ１０の雌側突起２５が嵌入される位置に設けられている。そして、各第１溝６６ａは、雄型ハウジング５０の前面５１ａから後方に向けて（即ち、雄型ハウジング５０の前面５１ａからコネクタ嵌合方向後方に向けて）凹部５４に至るまで延びている。更に、雄型ハウジング５０の左側面５１ｅ及び右側面５１ｆのそれぞれには、図６（Ａ）及び図６（Ｂ）に示すように、雌型コネクタ１０の雌側凹部２７の断面形状と相補的な断面形状を有する雄側突起６２が設けられている。各雄側突起６２は、仮係止突起用開口５７ａの下方部においてコネクタ嵌合方向に延びている。各雄側突起６２は、上下方向において雌型コネクタ１０の雌側凹部２７に受容される位置に設けられている。
【手続補正１４】
【補正対象書類名】明細書
【補正対象項目名】００３１
【補正方法】変更
【補正の内容】
【００３１】
また、サイドリテーナ８０の基部８１の下面には、図７、図１４及び図１５に示すように、雌型コネクタ１０の雌側突起２５の断面形状と相補的な断面形状を有する２個の第３溝６６ｃが設けられている。各第３溝６６ｃは、サイドリテーナ８０が本係止位置にあるときに、基部８１の左右方向において雌型コネクタ１０の雌側突起２５が嵌入される位置に設けられている。そして、各第３溝６６ｃは、基部８１の前面から後方に向けて（即ち、コネクタ嵌合方向後方に向けて）延びている。雄型ハウジング５０に設けられた第１溝６６ａ、ランスブロック７０に設けられた第２溝６６ｂ及びサイドリテーナ８０に設けられた第３溝６６ｃにより、請求項１にいう「溝」を構成する。
【手続補正１５】
【補正対象書類名】明細書
【補正対象項目名】００３２
【補正方法】変更
【補正の内容】
【００３２】
次に、雄型コネクタ４０の組立方法について説明する。
先ず、図１３乃至図１６に示す状態において、雄型ハウジング５０の凹部５４内に、雄型ハウジング５０の下面側からランスブロック７０を挿入して収容する。この際に、ランスブロック７０を、雄型ハウジング５０の下面側から凹部５４内に挿入し、そして、ランスブロック７０を前方向に移動させることによりランスブロック７０を雄型ハウジング５０に固定する。
【手続補正１６】
【補正対象書類名】明細書
【補正対象項目名】００３５
【補正方法】変更
【補正の内容】
【００３５】
そして、サイドリテーナ８０の仮係止位置において、図９（Ｂ）に示すように、各第１コンタクト９１を、雄型ハウジング５０の後方から前方に向けて上列の第１コンタクト挿通孔５２、サイドリテーナ８０の第３仕切壁８２間、及びランスブロック７０の第２仕切壁７２間を通して雄型ハウジング５０の第１仕切壁５２ａ間に収容する。すると、各第１コンタクト９１は、ランスブロック７０の弾性ランス７２ａにより一次的に係止される。この際に、各第１コンタクト９１は、各第１相手コンタクト挿通孔５２ｂに対して同軸的に配置される。
【手続補正１７】
【補正対象書類名】明細書
【補正対象項目名】００３８
【補正方法】変更
【補正の内容】
【００３８】
このように完成した雄型コネクタ４０を、雌型コネクタ１０に対して嵌合方向（図２において矢印Ｃによって示される向き）に嵌合すると、雌型コネクタ１０のコンタクト３０の接触部３２が雄型コネクタ４０の第１コンタクト９１の接触部９２及び第２コンタクト９５の接触部９６に接触し、コンタクト３０に接続された回路基板と第１コンタクト９１及び第２コンタクト９５に接続された電線Ｗとが電気的に接続する。雄型コネクタ４０と雌型コネクタ１０との嵌合の際には、雌型ハウジング２０の雄型コネクタ受容凹部２１内に雄型コネクタ４０の雄型ハウジング５０が受容される。そして、雄型コネクタ４０のロック突起５９ａが雌型コネクタ１０の係合突起２４ｂにロック係合する。この嵌合状態においては、雄型コネクタ４０のロック突起５９ａと雌型コネクタ１０の係合突起２４ｂとの係止力、及び雄型コネクタ４０の第１コンタクト９１及び第２コンタクト９５と雌型コネクタ１０のコンタクト３０との接触力により、雌型コネクタ１０からの雄型コネクタ４０の引き抜きが防止される。
【手続補正１８】
【補正対象書類名】明細書
【補正対象項目名】００３９
【補正方法】変更
【補正の内容】
【００３９】
そして、この嵌合の際には、雄型ハウジング５０の第１溝６６ａ、ランスブロック７０の第２溝６６ｂ及びサイドリテーナ８０の第３溝６６ｃに雌型ハウジング２０の雌側突起２５が順次嵌入して雄型ハウジング５０の上下方向（図２の矢印Ｄで示す方向）への変位を規制し、また、雄型ハウジング５０の雄側突起６２が雌型ハウジング２０の雌側凹部２７に受容されて雄型ハウジング５０の上下方向への変位を規制する。これにより、雌型コネクタ１０において雌型ハウジング２０を厚壁化することなく、雄型コネクタ４０の上下方向のあおりに対する強度を発揮しうる電気コネクタ組立体１を提供できる。ここで、雌型ハウジング２０に設けられた雌側突起２５は、コネクタ嵌合方向（前後方向）と直交する方向に突出する突出部分２５ａを有し、この突出部分２５ａを含む雌側突起２５が雄型ハウジング５０の第１溝６６ａ、ランスブロック７０の第２溝６６ｂ及びサイドリテーナ８０の第３溝６６ｃに嵌入されるようになっているので、雄型ハウジング５０の上下方向への変位を確実に規制できる。
【手続補正１９】
【補正対象書類名】明細書
【補正対象項目名】００４１
【補正方法】変更
【補正の内容】
【００４１】
また、雄型コネクタ４０には、必ずしもランスブロック７０やサイドリテーナ８０を設ける必要はなく、雄型ハウジング５０と、これに取り付けられたコンタクトとで雄型コネクタ４０を構成してもよい。この場合コンタクトは、必ずしも上下２列状に配置される必要はなく、１列状であってもよいし、３列状以上であってもよいし、単数であってもよい。そして、ランスブロック７０及びサイドリテーナ８０を設けない場合には、雄型ハウジング５０においてコネクタ嵌合方向に比較的長い溝を形成して、この溝に雌型コネクタ１０の雌側突起２５を嵌入するようにする。
更に、雌型ハウジング２０に取り付けられたコンタクト３０を雌型コンタクトとして構成し、その一方、雄型ハウジング５０に取り付けられたコンタクトを雄型コンタクトとして構成してもよい。
【手続補正２０】
【補正対象書類名】明細書
【補正対象項目名】００４２
【補正方法】変更
【補正の内容】
【００４２】
【図１】本発明に係る電気コネクタ組立体を示し、（Ａ）は雌型コネクタの背面斜め上方側から見た斜視図、（Ｂ）は雌型コネクタの正面斜め上方側から見た斜視図である。
【図２】図１に示す電気コネクタ組立体の、雌型コネクタの左側面側から見た図である。
【図３】雌型コネクタを示し、（Ａ）は平面図、（Ｂ）は正面図である。
【図４】図３の雌型コネクタを示し、（Ａ）は底面図、（Ｂ）は背面図である。
【図５】図３の雌型コネクタを示し、（Ａ）は左側面図、（Ｂ）は図３（Ｂ）の５Ｂ−Ｂ線に沿う断面図である。
【図６】雄型コネクタを示し、（Ａ）は正面斜め上方側から見た斜視図、（Ｂ）は背面斜め上方側から見た斜視図である。
【図７】図６の雄型コネクタを示し、（Ａ）は裏面側を正面斜め上方側から見た斜視図、（Ｂ）は裏面側を背面斜め上方側から見た斜視図である。
【図８】図６の雄型コネクタの平面図である。
【図９】図６に示す雄型コネクタにおいてサイドリテーナが仮係止位置にある状態を示し、（Ａ）は図８の９Ａ−９Ａ線に沿う断面図、（Ｂ）は図８の９Ｂ−９Ｂ線に沿う断面図である。
【図１０】図６に示す雄型コネクタにおいてサイドリテーナが仮係止位置にある状態を示し、（Ａ）はランスブロックの第１位置決め突起及び第２位置決め突起の双方の位置における断面図、（Ｂ）はランスブロックの第２位置決め突起及びハウジングの第１コンタクト挿通孔の双方の位置における断面図、（Ｃ）はランスブロックの第３位置決め突起及びサイドリテーナの本係止突起の双方の位置における断面図である。
【図１１】図６に示す雄型コネクタにおいてサイドリテーナが本係止位置にある状態を示し、（Ａ）は図８の９Ａ−９Ａ線に沿う断面図、（Ｂ）は図８の９Ｂ−９Ｂ線に沿う断面図である。
【図１２】図６に示す雄型コネクタにおいてサイドリテーナが本係止位置にある状態を示し、（Ａ）はランスブロックの第３位置決め突起及びハウジングの第２コンタクト挿通孔の双方の位置における断面図、（Ｂ）はハウジングの第１コンタクト挿通孔及び第２コンタクト挿通孔の双方の位置における断面図、（Ｃ）はランスブロックの第３位置決め突起及びサイドリテーナの本係止突起の双方の位置における断面図である。
【図１３】雄型ハウジング、ランスブロック及びサイドリテーナを正面斜め上方側から見た斜視図である。
【図１４】雄型ハウジング、ランスブロック及びサイドリテーナを正面斜め下方側から見た斜視図である。
【図１５】雄型ハウジング、ランスブロック及びサイドリテーナを背面斜め下方側から見た斜視図である。
【図１６】雄型ハウジングを示し、（Ａ）は平面図、（Ｂ）は正面図、（Ｃ）は背面図である。
【図１７】図１６の雄型ハウジングを示し、（Ａ）は右側面図、（Ｂ）は底面図である。
【図１８】従来の雌型コネクタの正面図である。
【図１９】図１８における１９−１９線に沿う断面図である。
【手続補正２１】
【補正対象書類名】明細書
【補正対象項目名】００４３
【補正方法】変更
【補正の内容】
【００４３】
１  電気コネクタ組立体
１０  雌型コネクタ
２０  雌型ハウジング
２１  雄型コネクタ受容凹部
２２  雌型ハウジングの上壁
２３  雌型ハウジングの下壁
２５  雌側突起
２５ａ  突出部分
２６ａ  雌型ハウジングの左側壁
２６ｂ  雌型ハウジングの右側壁
２７  雌側凹部
３０  コンタクト
４０  雄型コネクタ
５０  雄型ハウジング
５１ｄ  雄型ハウジングの下面
５１ｅ  雄型ハウジングの左側面
５１ｆ  雄型ハウジングの右側面
６２  雄側突起
６６ａ  第１溝（溝）
６６ｂ  第２溝（溝）
６６ｃ  第３溝（溝）
９１  第１コンタクト（コンタクト）
９５  第２コンタクト（コンタクト）
【手続補正２２】
【補正対象書類名】図面
【補正対象項目名】図１０
【補正方法】変更
【補正の内容】
【図１０】
2007324050.tif 000022
【手続補正２３】
【補正対象書類名】図面
【補正対象項目名】図１５
【補正方法】変更
【補正の内容】
【図１５】
2007324050.tif 000023
【手続補正２４】
【補正対象書類名】図面
【補正対象項目名】図１６
【補正方法】変更
【補正の内容】
【図１６】
2007324050.tif 000024